(57)【要約】【課題】光ディスクの着脱を行うためにディスクトレイを外部に露出させたときに光ピックアップをシャッタでカバーし、光ピックアップの汚れや損傷を防ぐ。【解決手段】フレーム１０にトレイユニット５をスライド自在に組み付けする。トレイユニット５は、フレーム１０に対してスライドするディスクトレイ２０と、ディスクトレイ２０にダンパーで支持されたピックアップユニット２２とを有する。ピックアップユニット２２はシャッタ２６を含み、ディスクトレイ２０がフレーム１０から外部に引き出されたときに、光ピックアップを露出させる開口３７を閉じる。ディスクトレイ２０の側面から突出したシャッタ開閉レバーの先端４１ａと、シャッタロックレバーの一端４７ａがフレーム１０に固定されたカムに係合してシャッタ２６が開閉される。【選択図】        図２
2006252683.tif 000002
【特許請求の範囲】
【請求項１】
光ディスクの着脱時に外部に露出されるディスクトレイと、このディスクトレイに弾性体からなるダンパーを介して支持され、光ピックアップ及び光ディスク駆動用のスピンドルモータを保持したピックアップベースと、このピックアップベースに移動自在に組み付けられ、光ディスクの使用時には光ピックアップからのレーザ光を光ディスクへと通過させる開口を開き、光ディスクの着脱時には前記開口を閉じるシャッタとを備えたことを特徴とする光ディスク装置。
【請求項２】
光ディスクの使用時に前記ディスクトレイを内部に収納する格納位置と、光ディスクの着脱時に前記ディスクトレイを外部に突出させた突出位置との間でディスクトレイを移動自在に支持するフレームを有するとともに、前記格納位置と突出位置との間でディスクトレイを移動させることに連動して前記シャッタを開閉させる連動手段を備えたことを特徴とする請求項１記載の光ディスク装置。
【請求項３】
前記フレームはディスクトレイを前記格納位置と突出位置との間でスライド自在に支持し、前記連動手段は、フレームに設けられた第一カムと、前記ピックアップベースに変位自在に設けられその変位によって前記シャッタを開閉するシャッタ開閉レバーとからなり、ディスクトレイとともに前記ピックアップベースが所定のスライド範囲を通過するときに、前記第一カムとの係脱によってシャッタ開閉レバーが変位して前記シャッタが開閉されることを特徴とする請求項２記載の光ディスク装置。
【請求項４】
前記シャッタ開閉レバーは、ディスクトレイとともに前記ピックアップベースが格納位置に移動した時点で、前記第一カムから離脱していることを特徴とする請求項３記載の光ディスク装置。
【請求項５】
前記ディスクトレイに変位自在に設けられたシャッタロックレバーと、前記フレームに設けられディスクトレイが所定のスライド範囲を通過するときに前記シャッタロックレバーに係脱する第二カムとを備え、ディスクトレイが突出位置に向かってスライドする途中で前記第二カムによってシャッタロックレバーがロック位置に変位し、閉じ位置に移動したシャッタに係合してシャッタの開き方向への移動を阻止することを特徴とする請求項４記載の光ディスク装置。
【請求項６】
前記シャッタはバネによって前記開口を開く方向に付勢され、前記ディスクトレイとともにピックアプベースが格納位置から突出位置に向かって移動する間に、シャッタは前記シャッタ開閉レバーと第一カムとの係合により前記バネの付勢に抗して閉じ方向に移動して所期の閉じ位置を越えてオーバーストローク移動した後、前記第一カムとシャッタ開閉レバーとの係合が解除されることによって前記バネの付勢により開き方向に移動するように構成され、シャッタがオーバーストローク移動している間に前記シャッタロックレバーが前記第二カムによってロック位置に移動され、オーバーストローク移動後のシャッタの開き方向への移動を所期の閉じ位置で阻止することを特徴とする請求項５記載の光ディスク装置。
【発明の詳細な説明】
【技術分野】
【０００１】
本発明は、光ピックアップにより光ディスクに記録された情報の再生や記録を行う光ディスク装置に関するものである。
【背景技術】
【０００２】
ＣＤ−Ｒ、ＤＶＤなどの光ディスクはパーソナルコンピュータなどの記憶媒体として広く用いられている。最近ではデスクトップ型のものだけでなく、ノートパソコンと称される携帯型のものにも光ディスク装置が内蔵され、これらの光ディスクを用いることが可能となっている。光ディスク装置は、ディスクトレイ上に装填された光ディスクを高速で回転させるディスク回転機構と、光ディスクの半径方向に移動しながら光ディスクにレーザ光を照射して情報を記録し、あるいは光ディスクから反射されたレーザ光を受光して情報の読み出しを行う光ピックアップとを備えている。特に薄型化が要求されるノートパソコンに光ディスク装置を内蔵させるには、パソコン本体に対してディスクトレイをスライド自在に組み込み、光ディスクの着脱時にはディスクトレイをパソコン本体外に引き出し、使用時にはディスクトレイをパソコン本体内に格納するように構成される。
【０００３】
光ピックアップは、光源からのレーザ光を対物レンズを通して光ディスクの情報記録面に照射し、また光ディスクからの反射光を前記対物レンズを通して受光するが、対物レンズの表面に汚れや塵埃が付着したり、また光ピックアップを光ディスクの半径方向に移動させるピックアップ送り機構部に異物が紛れ込んだりすると正常な動作が期待できなくなる。光ディスクの使用時には、ディスクトレイとともに光ピックアップもパソコン本体内に格納されるので問題はないが、光ディスクの着脱時には光ピックアップもディスクトレイと一体となって外部に引き出され、光ピックアップの対物レンズはディスクトレイに形成された開口から外部に露出する。そして、ディスクトレイに光ディスクの着脱を行うときに、光ピックアップの対物レンズに不用意に手を触れたり、ピックアップ送り機構部に異物や塵埃が紛れ込むおそれがある。
【０００４】
光ディスクの着脱時に光ピックアップを保護するために、光ディスク装置の蓋を開放したときに、光ピックアップからのレーザ光を光ディスクに向けて通過させる開口をシャッタで覆い、光ピックアップが直接外部に露出しないように保護することが特許文献１で知られている。このシャッタは、光ディスク装置の蓋の開放と機械的に連動して閉じ位置に移動し、光ピックアップの送り経路全体を覆うようになっているので、光ピックアップの対物レンズに手が触れたり、またピックアップ送り機構に異物や塵埃が紛れ込むことを防ぐことができる。そして、光ディスク装置の蓋の閉じ動作に連動してシャッタが開放されるので、特別な付加操作を要せずにこれまでと同様の操作で光ディスクを利用することが可能となる。
【特許文献１】特開平９−２８８８３６号公報
【発明の開示】
【発明が解決しようとする課題】
【０００５】
しかしながら特許文献１記載の装置では、光ピックアップを覆うシャッタが光ディスク装置の蓋に対してギヤやカムなどの連動機構を介して機械的に連結されるため、光ディスクの使用時には、光ディスク回転用のスピンドルモータや光ピックアップ送りモータの駆動に伴う振動が蓋や外部に伝わってしまい、光ディスク装置の筐体を振動させたり不快なうなり音を発生させる要因にもなりかねない。また、前述したように薄型化が要求されるノートパソコンでは、ディスクトレイがスライド式にパソコン本体に組み込まれるのが通常である。このようなスライド方式を採用した場合には、ディスクトレイの引き出し・格納操作に連動して光ピックアップを確実に開閉し、しかもその組み込みスペースも節約できるようにコンパクト化されたシャッタ開閉機構が必要となる。
【０００６】
本発明は上記背景を考慮してなされたもので、ディスクトレイを外部に露出させることに連動して光ピックアップをカバーするシャッタを備え、そしてディスクトレイを格納位置に移動したときにはシャッタを開放して光ピックアップが光ディスクにアクセスできるようにするだけでなく、外部からの振動や衝撃が加わってもシャッタが光ディスクや光ピックアップに何ら悪影響を及ぼすことがないようにした光ディスク装置を提供することを目的とし、さらにディスクトレイをスライドさせて外部に露出させるようにした光ディスク装置に好適な光ピックアップのシャッタ開閉機構を提供することを目的とする。
【課題を解決するための手段】
【０００７】
本発明は上記目的を達成するために、光ピックアップ及び光ディスク駆動用のスピンドルモータを保持したピックアップベースを、光ディスクの着脱時に外部に露出されるディスクトレイに取り付けるにあたり、その両者間に弾性に富んだダンパーを設ける。そして、光ピックアップからのレーザ光を光ディスクに向けて通過させる開口を開閉するシャッタを、ピックアップベースに移動自在に組み付けている。普及型のパソコンに内蔵される光ディスク装置は、パソコン本体の内部に固定されるフレームに対してディスクトレイが移動自在であり、光ディスクの着脱時にはディスクトレイがフレームから外部に突出されるのが一般であるから、このような場合にはフレームに対してディスクトレイを移動させることに連動してシャッタを開閉させるのがよい。
【０００８】
フレームに対してディスクトレイをスライドさせる構造を採った場合には、フレーム側に第一カムを設けるとともに、シャッタ開閉用のシャッタ開閉レバーもピックアップベースに変位自在に取り付け、ディスクトレイとともにピックアップベースが所定のスライド範囲を通過するときに前記第一カムとの係合によりシャッタ開閉レバーを介してシャッタが開閉するように構成される。そして、ディスクトレイ及びピックアップベースがフレーム内の格納位置に移動したときにはシャッタ開閉レバーが第一カムから離脱し、ピックアップベースはダンパーだけでディスクトレイと連結された状態となる。
【０００９】
ディスクトレイがフレームの外部に突出したときにはシャッタが閉じられているが、光ディスクの着脱操作を行うときにシャッタが開いてしまうことがないように、シャッタを閉じ位置でロックするシャッタロックレバーを用いるのが効果的である。シャッタロックレバーはディスクトレイに変位自在に組み付けられ、シャッタロックレバーを動作させる第二カムはフレームに設けられる。そして、シャッタが閉じ位置に移動した後のディスクトレイのスライドに連動してシャッタロックレバーは第二カムの作用によりロック位置に変位し、シャッタが閉じ位置から開き方向に移動することを阻止する。
【００１０】
光ディスクの使用時にはシャッタが開放されるが、シャッタはバネの付勢力のもとで開放位置に保持され、閉じ方向への移動はバネの付勢力に抗して行われる。そして、ディスクトレイとともにピックアップベースが格納位置から突出位置に向かってスライドするとき、シャッタは前記シャッタ開閉レバーと第一カムとの係合により前記バネの付勢に抗して閉じ方向に移動して所期の閉じ位置を越えてオーバーストローク移動した後、第一カムとシャッタ開閉レバーとの係合が解除されることによって前記バネの付勢により開き方向に移動するように構成される。シャッタがオーバーストローク移動している間に前記シャッタロックレバーが前記第二カムによってロック位置に移動し、オーバーストローク移動後のシャッタの開き方向への移動は所期の閉じ位置で阻止される。
【発明の効果】
【００１１】
上記構成により本発明によれば次の効果が得られる。光ピックアップからのレーザ光を光ディスクに向けて通過させる開口を開閉するためのシャッタが、スピンドルモータなどを保持したピックアップベースに設けられ、そしてピックアップベースはディスクトレイに対してダンパーを介して連結されているから、シャッタを開放した状態では、ピックアップベースをダンパーのみでディスクトレイに支持させ、他の機械的な連結を不要にする構成が採りやすくなり、スピンドルモータや光ピックアップの送り用モータを駆動したときに、その振動が外部に伝わることを防ぐことができる。
【００１２】
また、ディスクトレイを格納位置と突出位置との間で移動させることに連動してシャッタを開閉し、またディスクトレイが突出位置に向かって移動する間に閉じられたシャッタを閉じ位置でロックする構造にしたから、ユーザはこれまでと同様にディスクトレイの引き出し及び収納操作、光ディスクの着脱操作を行うだけでよい。さらに、光ディスクの着脱操作を行う間に不用意にシャッタに手を触れたとしてもシャッタが開くことがないから、光ピックアップやその送り機構部に異物や塵埃が紛れ込むことを確実に防止することが可能となる。
【発明を実施するための最良の形態】
【００１３】
本発明の光ディスク装置を内蔵したノート型パソコンの外観を示す図１において、光ディスク装置２はパソコン本体３の一方の側面に組み込まれる。図は、光ディスク４を装填するためにトレイユニット５をいっぱいに引き出した様子を表している。光ディスク４の装填後、フロントカバー６を押圧するとトレイユニット５はパソコン本体３内に完全に格納された状態でロックされる。トレイユニット５を引き出すときには、フロントカバー６に設けられたイジェクトボタン６ａを押す。イジェクトボタン６ａが押されたとき、光ピックアップが光ディスク４にアクセスしていなければ格納位置でのロックが解除され、トレイユニット５がバネの付勢により所定ストローク（例えば１０ｍｍ程度）突出するから、ユーザはフロントカバー６をつまんで図示の突出位置まで引き出し操作することができる。トレイユニット５にはレーザ光を照射して光ディスク４にアクセスする光ピックアップが組み込まれているが、トレイユニット５がパソコン本体３から引き出されるとシャッタ２６が閉じ位置に移動し、光ピックアップは外部に露出しない。
【００１４】
図２に示すように、光ディスク装置２は、パソコン本体３の内部に固定される金属薄板製のフレーム１０と、フレーム１０の左右の側壁に設けられたガイドレールに沿ってスライドするスライドレール１１，１２と、これらのスライドレール１１，１２に対してさらにスライド自在に組み付けられたトレイユニット５とからなる。図３に示すように、フレーム１０の側壁の内面にはスライドレール１１，１２の移動をガイドするプラスチック製のガイドレール１３，１４が固定されている。それぞれのガイドレール１３，１４には前述したようにスライドレール１１，１２の移動を規制する突起や係止部が一体に設けられ、さらに一方のガイドレール１４にはシャッタカム１５とロックカム１６とが一体成形されている。これらのカム１５，１６はスライドレール１２の移動を妨げない位置で内側に突出し、シャッタカム１５はロックカム１６よりも低い位置に設けられている。なお、ガイドレール１３，１４及びシャッタカム１５，ロックカム１６は、フレーム１０に固着して用いられるから、これらをフレーム１０とともにプラスチックで一体成形しても同様の作用を得ることができる。
【００１５】
図２において、トレイユニット５は、光ディスク４の外径に対応した窪みが形成されたプラスチック製のディスクトレイ２０と、ディスクトレイ２０の開口部２０ａを下側から塞ぐように組み付けられたピックアップユニット２２とを含む。ディスクトレイ２０の側壁にはトレイユニット５のスライド方向に延びたガイド用の突条と溝とが一体成形され、前述したスライドレール１１，１２が係合している。これにより、ディスクトレイ２０がスラドレール１１，１２及び、前述のガイドレール１３，１４を介してフレーム１０にスライド自在に支持され、ピックアップユニット２２はディスクトレイ２０のスライドに伴って同方向に移動する。なお、ディスクトレイ２０、スライドレール１１，１２、ガイドレール１３，１４にはそれぞれ適宜の位置にストッパが設けられ、ディスクトレイ２０及びスライドレール１１，１２は予め決められた範囲内でスライドする。
【００１６】
ピックアップユニット２２には、光ディスク４を回転させるスピンドルモータ２３、スピンドルモータ２３の駆動軸に固定されたチャッキングコア２４が設けられている。ディスクトレイ２０の窪みに合わせて光ディスク４を装填すると、チャッキングコア２４が光ディスク４のチャック孔４ａ（図１）に係合して光ディスク４を保持する。ピックアップユニット２２の上面には軸２５を中心に回動するシャッタ２６が設けられ、図示のようにトレイユニット５をフレーム１０から引き出した状態では、光ピックアップを覆う閉じ位置でロックされている。
【００１７】
フレーム１０の奥側にはイジェクトバネ２８を含むイジェクト機構２９が設けられ、イジェクトボタン６ａを押して格納位置でのロックが解除されると、前述のようにディスクトレイ５はイジェクトバネ２８の付勢により所定ストロークだけ突出する。なお、符号６ｂは光ディスク４にアクセス中であることを外部表示する表示部、符号６ｃは緊急操作用のイジェクト穴を示す。故障やパソコンの暴走などでイジェクトボタン６ａの操作ではイジェクトできなくなっても、イジェクト穴６ｃに固い細線を差し込むことによって格納位置でのロックを解除してディスクトレイ２０を引き出すことが可能となる。
【００１８】
図２に示す突出位置からディスクトレイ２０を押し込むと、スライドレール１１，１２上をディスクトレイ２０が奥に向かってスライドし、またスライドレール１１，１２がフレーム１０に固定されたガイドレール１３，１４上を奥に向かってスライドする。フレーム１０に対してディスクトレイ２０が所定の位置まで押し込まれると、イジェクトバネ２８をチャージした状態でディスクトレイ２０にフック（図示省略）が係合し、ディスクトレイ２０は格納位置に機械的にロックされる。
【００１９】
図４に分解して示すように、トレイユニット５は、ディスクトレイ２０（フロントカバー６の図示省略）と、ピックアップユニット２２と、ボトムカバー３１とからなり、ボトムカバー３１をディスクトレイ２０にビス止めすることによって、ピックアップユニット２２がその両者間に保持される。ピックアップユニット２２には振動や衝撃を吸収する弾性体として作用する柔軟なゴム製のダンパー３３が３箇所に設けられている。ダンパー３３のそれぞれの上面をディスクトレイ２０の底面に、それぞれの下面をボトムプレート３１に軽く接触させた状態で組み付けることによって、ピックアップユニット２２はディスクトレイ２０とボトムプレート３１との間に弾性的に挟持される。
【００２０】
ピックアップユニット２２は、光ピックアップ（図５に符号３２で示す）及びその送り機構並びにスピンドルモータ２３などが組み込まれたピックアップベース３５と、その上面を覆うカバープレート３６と、カバープレート３６の上面に移動自在に設けられたシャッタ２６とを備えている。カバープレート３６には、スピンドルモータ２３から半径方向に延びた開口３７が形成され、シャッタ２６はこの開口３７を開閉する。シャッタ２６が開放して開口３７を露呈させたとき、この開口３７を通して光ピックアップが光ディスクにアクセスする。光ピックアップの先端は、カバープレート３６の上面から０．２ｍｍ程度突出するため、シャッタ２６を閉じたときに光ピックアップと干渉しないように、シャッタ２６には膨出部２６ａが形成されている。なお、シャッタ２６は光ピックアップがスピンドルモータ２３に最も近接したホームポジションにもどったときに閉じるので、開口３７の全域にわたって膨出部２６ａを設ける必要はない。また、光ディスク４はその回転時に面振れを起こすことがあるが、この面振れによる光ディスクの上下方向の変位量は光ディスクの内周側方向で小さく外周側方向で大きくなる。したがって、膨出部２６ａを光ディスクの外周側方向ではなく内周側方向に設けておくことによって、膨出部２６ａの膨出量を小さく抑えることができるので光ディスク装置の薄型化に有利となる。
【００２１】
シャッタ２６は軸２５を中心に回動自在であり、図示の閉じ位置から時計回り方向に回動して開口３７を開放する開き位置に移動する。シャッタ２６を閉じ位置と開き位置との間で移動させるために、ピックアップベース３５にシャッタ開閉レバー４０が組み付けられている。シャッタ開閉レバー４０は、Ｌ字形の第一レバー４１と、この第一レバー４１に軸着された第二レバー４２とのダブルレバーで構成され、第一レバー４１がバネ４３により反時計回り方向に付勢された状態でピックアップベース３５に取り付けられている。第二レバー４２は、第一レバー４１に取り付けた板バネ４４により第一レバー４１に対して時計回り方向に付勢されている。なお、第一レバー４１に折り曲げ形成したストッパによって第二レバー４２の時計回り方向への回動終端が規制されている。
【００２２】
図２にも示してあるように、第一レバー４１の先端４１ａはディスクトレイ２０のスロット２０ｂを通して出入りする。この先端４１ａには斜面が形成され、ディスクトレイ２０を格納位置に向かって所定量移動したときに、ガイドレール１４に設けたシャッタカム１５に係合する。第二レバー４２の先端にはスロット４２ａが形成されている。このスロット４２ａには、シャッタ２６に形成されたスロット２６ｂと、ピックアップベース３５に円弧状に形成されたスロット３５ａとを貫通したピン４５が挿通される。シャッタ開閉レバー４０がバネ４３の付勢により反時計回り方向に回動するとピン４５も同方向に移動し、シャッタ２６を軸２５を中心に時計回り方向に回動させ、これにより開口３７が開放される。すなわち、第一レバー４１及び第二レバー４２からなるシャッタ開閉レバー４０と、このシャッタ開閉レバー４０を変位させるシャッタカム１５は、ディスクトレイ２０のスライドに連動してシャッタ２６を開閉動作させる連動機構を構成している。シャッタ開閉レバー４０の反時計回り方向の回動量はピックアップベース３５に一体に設けられたストッパによって制限される。なお、カバープレート３６及びシャッタ２６には一段低くした段差が設けられ、光ディスク４が装填されたときにピン４５の頭部が光ディスク４に干渉しないようにしてある。
【００２３】
ディスクトレイ２０の底面側にはシャッタロックレバー４７が軸着され、バネ４８により図中反時計回り方向に付勢されている。シャッタロックレバー４７の一端４７ａはスロット２０ｃを通してディスクトレイ２０の側面から突出し、他端４７ｂはカバープレート３６よりも上面でシャッタ２６の移動路内に出入りする。なお、シャッタ２６がカバープレート３６の上面に沿って移動するときにその先端側が浮き上がらないように、ピックアップベース３５に円弧状のシャッタガイド４９が固定されている。このシャッタガイド４９は、スピンドルモータ２３に対面する側が下向きに折り曲げられた断面Ｌ字形となっており、折り曲げた下縁がシャッタ２６の先端部の上面を規制している。また、図中の右端側にはシャッタ２６の移動路まで下向きに突出したストッパが形成され、シャッタ２６が閉じ方向に回動したときにシャッタ２６の回動方向の前縁に当接し、閉じ方向へのシャッタ２６の最大回動位置を決めるようになっている。また、シャッタ２６の先端部には垂直上方に舌片状に折り曲げたロック片２６ｃが形成されており、このロック片２６ｃはシャッタ２６が回動したときにはシャッタガイド４９の外側で移動する。
【００２４】
シャッタロックレバー４７はシャッタガイド４９の下面側で回動し、シャッタロックレバー４７の他端４７ｂがシャッタ２６のロック片２６ｃに係脱する。図２にも示すとおり、シャッタ２６が閉じ位置にあるときにはバネ４８の付勢によりシャッタロックレバー４７はロック位置にあり、その一端４７ａはディスクトレイ２０の側方に突出している。そして、ディスクトレイ２０を格納位置に向けて移動する過程で、この一端４７ａの斜面が図３に示すロックカム１６に係合すると、ロックレバー４７が時計回り方向に揺動してロック解除位置に移動するようになる。なお、ディスクトレイ２０を格納位置から引き出すときには、上述したシャッタ開閉レバー４０及びシャッタロックレバー４７はシャッタカム１５及びロックカム１６に対して逆向きに係合あるいは係合解除し、シャッタ２６を開き位置から閉じ位置に移動させ、さらにシャッタ２６を閉じ位置でロックする動作を行う。
【００２５】
上記構成による作用について以下に説明する。図５にトレイユニット５がパソコン本体３内の格納位置でロックされている様子を示す。シャッタ開閉レバー４０は、図４に表したバネ４３の付勢により反時計回り方向に回動し、ピックアップベース３５に一体的に形成されたストッパに当接して位置決めされた状態となっている。シャッタ開閉レバー４０がこの位置にあるときには、第二レバー４２及びピン４５によりシャッタ２６は軸２５を中心に時計回り方向に回動した開き位置に移動しており、カバープレート３６に形成された開口３７が開放され、光ピックアップ３２が露出している。したがって、光ディスク４が装填されているときには、ピックアップ送り機構により光ピックアップ３２を開口３７に沿って移動させることにより、光ディスク４の半径方向の任意の位置へのアクセスが可能となる。
【００２６】
トレイユニット５が格納位置にロックされた状態では、シャッタ開閉レバー４０はシャッタカム１５よりも奥に移動しており、その第一レバー４１の先端４１ａはフレーム１０に固定されたガイドレール１４にも接触していない。また、図４に表したバネ４８により反時計回り方向に付勢されたシャッタロックレバー４７は、その一端４７ａがガイドレール１４に設けられたロックカム１６に当接して位置決めされている。この状態では、シャッタロックレバー４７の他端４７ｂはシャッタ２６の先端の回動軌跡から退避しており、ピックアップベース３５及びカバープレート３６から離れた位置にある。
【００２７】
このように、ピックアップベース３５に取り付けられたシャッタ開閉レバー４０はピックアップベース３５以外の構成部品とは接触せず、そしてロックカム１６に当接しているシャッタロックレバー４７はディスクトレイ２０に組み付けられていることから、格納位置におけるピックアップベース３５はダンパー３３のみでディスクトレイ２０で保持された状態となっている。そして格納位置ではディスクトレイ２０が機械的にロックされ、ピックアップベース３５には機械的な係止がかかっていないので、光ディスク４の使用時にスピンドルモータ１６や光ピックアップ送り用のモータの駆動に伴う振動はダンパー３３で吸収され外部に伝わることがないから、不快な振動音を防ぐ上で効果的である。
【００２８】
トレイユニット５を引き出す時にはまずイジェクトボタン６ａを押圧操作する。イジェクトボタン６ａの操作が電気的に検知されると、光ピックアップ３２が光ディスクにアクセス中であるときには、アクセスを中止して光ピックアップ３２はホームポジションに送られた後、ソレノイドの駆動によりディスクトレイ２０のロック解除が行われる。これにより、イジェクトバネ２８の付勢を受けてトレイユニット５が図６に示す位置まで移動する。この移動長ｄ１は１０ｍｍ程度であり、この突出位置では未だシャッタ開閉レバー４０を構成する第一レバー４１の先端４１ａはシャッタカム１５には係合せず、排出抵抗を増やす要因にはならない。したがって、イジェクトバネ２８の付勢力だけで確実にトレイユニット５を突出させることができる。また、シャッタロックレバー４７の先端４７ａは依然としてロックカム１６に当接した状態を保っているから、シャッタロックレバー４７はディスクトレイ２０に対して回動はせず、平行移動するだけである。なお、シャッタ２６も開き位置のままであるが、カバープレート３６の開口３７は未だフレーム１０の内部に収まっているので問題はない。
【００２９】
続いてユーザがフロントカバー６をつまんで図７に示す位置（格納位置からの移動長ｄ２は約１９ｍｍ程度）までトレイユニット５を引き出すと、第一レバー４１の先端４１ａの斜面がシャッタカム１５に当接し、相対的に第一レバー４１がディスクトレイ２０の内側に向かって押し込まれ、第一レバー４１はバネ付勢に抗して時計回り方向に回動する。第一レバー４１の回動に伴って第二レバー４２も同方向に回動し、ピン４５を介してシャッタ２６が軸２５を中心に反時計回り方向に回動する。これにより、カバープレート３６に形成された開口３７がシャッタ２６で閉じられる。シャッタ２６を閉じ位置に向かって回動させるときには第二レバー４２に抵抗が加わるが、図４に示す板バネ４４はその抵抗に打ち勝つだけの付勢力をもっているので、シャッタ２６の閉じ動作に支障はない。
【００３０】
シャッタ２６は、第一レバー４１の先端４１ａがシャッタカム１５の上面に乗り上げる前に図７に示す閉じ位置まで移動し、さらに第一レバー４１の先端４１ａがシャッタカム１５の上面に乗り上げるまでの間に、シャッタ２６は閉じ位置を越えてオーバーストローク移動し、シャッタ２６の先端がシャッタガイド４９に形成されたストッパに当接する。また、第一レバー４１はシャッタ２６がオーバーストローク位置まで移動した後もシャッタカム１５によってわずかに時計回り方向に回動する。
【００３１】
第一レバー４１のこの余剰回動分は、図８（Ａ），（Ｂ）に示すように、第一レバー４１と第二レバー４２とを屈曲させることによって吸収される。このように板バネ４４の付勢に抗して第二レバー４２を屈曲させることによって、板バネ４４の付勢力がシャッタ２６をオーバーストローク位置に押しつけるように作用するから、シャッタ２６を確実に移動させることができる。また、シャッタ２６を所期の閉じ位置を越えてオーバーストロークさせることによって、部品精度に多少のバラツキがあってもシャッタ２６を確実に閉じ位置まで移動させることができるようになる。第一レバー４１と第二レバー４２とからなるシャッタ開閉レバー４０が上記の動作を行う間、シャッタロックレバー４７の一端４７ａは依然としてロックカム１６の上面に乗り上げたままであるので、トレイユニット５とともに平行移動するだけである。
【００３２】
トレイユニット５を図９に示す位置（格納位置からの移動長ｄ３は約２４ｍｍ程度）まで引き出すと、シャッタロックレバー４７の一端４７ａがロックカム１６から徐々に外れてゆくから、これに対応してシャッタロックレバー４７は反時計回り方向に回動する。この回動により、図１０に拡大して示すように、他端４７ｂはシャッタガイド４９の折り曲げ部に接近してゆく。シャッタ２６の閉じ方向の前縁Ｐは、二点鎖線Ｓで示す所期の閉じ位置を越えてオーバーストローク移動しており、シャッタガイド４９のストッパに当接して停止している。この図９に示す位置にトレイユニットを移動させた状態では第一レバー４１の先端４１ａが未だシャッタカム１５に乗り上げているので、シャッタ２６は板バネ４４の付勢により未だオーバーストローク位置で停止している。なお、図９ではシャッタガイド４９を部分破断してある。
【００３３】
トレイユニット５がさらに図１１に示す位置（格納位置からの移動長ｄ４は約２７ｍｍ）まで引き出されると、シャッタロックレバー４７の一端４７ａがロックカム１６から外れ、シャッタロックレバー４７はさらに反時計回り方向に回動する。そして、図１２に示すように、その他端４７ｂがシャッタガイド４９の壁面に当接して停止する。また、図１１に示すように第一レバー４１の先端４１ａがシャッタカム１５の上面から外れだすと、第一レバー４１はバネ４３の付勢により反時計回り方向へと回動を始める。したがって、第二レバー４２は第一レバー４１の回動とともに図８（Ｂ）の状態から図８（Ａ）の状態へと移行し、板バネ４４によるシャッタ２６への付勢力は弱められてゆく。
【００３４】
そして図１３に示すように、第一レバー４１の先端４１ａがシャッタカム１５から離れる位置までトレイユニット５が引き出されると、第一レバー４１はバネ４３の付勢によりさらに反時計回り方向に回動する。これに伴って第二レバー４２も同方向に回動し、シャッタ２６は軸２５を中心として時計回り方向（開き方向）に回動するようになる。ところが、第一レバー４１の先端４１ａがシャッタカム１５から離れる時点では、図１２に示すように、シャッタロックレバー４７の他端４７ｂがシャッタ２６のロック片２６ｃの移動軌跡内に入り込んでいる。したがって、図１４に示すように、シャッタ２６の前縁Ｐが二点鎖線Ｔで示すオーバーストローク位置から実線で示す位置まで戻った時点でロック片２６ｃがシャッタロックレバー４７の他端４７ｂに係合し、シャッタ２６の時計回り方向への回動が阻止されシャッタ２６は所期の閉じ位置で拘束される。図示のように、シャッタロックレバー４７の他端４７ｂにはロック片２６ｃの内側に入り込むフック部が一体に形成されているから、組み立て誤差やガタなどによって軸２５からロック片２６ｃまでの距離が多少変動したり、ユーザがシャッタロックレバー４７の他端４７ｂを不用意に押し込んだりしても、シャッタ２６が開き方向に回動することを確実に阻止することができる。
【００３５】
以上のように、トレイユニット５を図５に示す格納位置から図１３に示す最大突出位置まで移動させる間に、カバープレート３６の開口３７がパソコン本体３の外部に現れる前の段階でシャッタ２６が閉じられ（図７）、そして閉じられたシャッタ２６がわずかに外部に露出する時点ではシャッタ２６を所期の閉じ位置を越えたオーバーストローク位置まで移動させるとともに、板バネ４４を利用して閉じ方向への付勢を与えておき（図９、図１１）、さらにシャッタ２６に指が触れられるような位置までトレイユニット５が引き出された時点では、シャッタロックレバー４７をロック位置に移動させてシャッタ２６の開き方向への移動が禁止されるようになるから、光ディスク４の装填や取り出し時に、ユーザが不用意に光ピックアップ３２に手を触れたり、開口３７を通して内部に異物や塵埃が紛れ込むことを防ぐことができる。また、シャッタ２６の大部分が露出する位置までトレイユニット５が引き出された時点ではシャッタ２６の開き方向への移動がロックされているから、シャッタ２６にユーザが不用意に手を触れたとしても開口３７が開かれることはない。
【００３６】
トレイユニット５を最大突出位置から格納位置に移動させる過程では、シャッタカム１５及びロックカム１６と、シャッタ開閉レバー４０及びシャッタロックレバー４７との係合及び係合解除により、シャッタ２６は開き位置から閉じ位置へと移動する。図１３に示す最大突出位置からトレイユニット５を押し込んでゆくと、まず第一レバー４１の先端４１ａがシャッタカム１５に乗り上げ、シャッタ２６は所期の閉じ位置から一旦オーバーストローク位置まで閉じ方向に移動し、ロック片２６ｃがシャッタロックレバー４７の他端４７ｂから離れる。さらにトレイユニット５が押し込まれると、シャッタロックレバー４７の一端４７ａがロックカム１６に乗り上げ、シャッタロックレバー４７が時計回り方向に回動してその他端４７ｂがロック片２６ｃの回動軌跡の外側に退避する。さらにトレイユニット５が押し込まれると、第一レバー４１の先端４１ａがシャッタカム１５を乗り越え、シャッタ開閉レバー４０がバネ４３の付勢により全体的に反時計回り方向に回動するから、シャッタ２６が開放される。以後はシャッタ２６が開き位置で停止したままの状態となり、トレイユニット５が所定の格納位置まで押し込まれた時点でディスクトレイ２０に機械的にロックが掛かって図５に示す状態となる。
【００３７】
ところで、光ディスク４の使用時にパソコンの暴走などの何らかのトラブルが発生し、イジェクトボタン６ａを操作しても格納位置におけるトレイユニット５のロックが解除できなくなることがある。こうした場合には、イジェクト穴６ｃに細線を挿入して手動でトレイユニット５のロックを解除すれば、以後は同様にしてトレイユニット５の引き出し操作を行うことができるようにしてある。ところが、このような場合には一般に光ピックアップ３２がホームポジショシンに戻っていないことが多い。前述したように、光ピックアップ３２の上端はカバープレート３６の上面から０．２ｍｍ程度とはいえ、少し突出しているのが通常であるため、トレイユニット５の引き出しに連動してシャッタ２６を閉じてゆくと、膨出部２６ａ以外の部分がわずかながら突出している光ピックアップ３２の上端を横切るように移動し、光ピックアップ３２と干渉することが懸念される。
【００３８】
こうした事態を考慮し、図１５に示すように、光ピックアップ３２の対物レンズ５０を保持しているレンズホルダ５１の上面に、対物レンズ５０よりも高く突出するようにプロテクタ５２を設け、まず対物レンズ５０が直接光ディスク４と接触して傷つくことを防ぐ。このように、レンズホルダ５１の上面にプロテクタ５２を設けることによって、カバープレート３６の上面からは開口３７を通してレンズホルダ５１の一部とプロテクタ５２が突出するようになるが、レンズホルダ５１とプロテクタ５２との一方の側面には一連となった斜面５３が形成されている。この斜面５３は、同図（Ｂ）のようにシャッタ２６が開口３７を閉じるように移動してシャッタ２６の縁が当接した以降は、レンズホルダ５１及びプロテクタ５２を沈み込ませるように作用する。
【００３９】
レンズホルダ５１はレーザ光のフォーカス調節などのためにレーザ光の照射方向（図中の上下方向）には移動自在であり、またレーザ光の照射方向に対して直交する方向にも移動できるように支持されているから、シャッタ２６が閉じ方向に移動して上記斜面５３からの押圧を受けるとシャッタ２６の下面に滑り込むように移動する。したがって、光ピックアップ３２がホームポジション以外で停止した状態でもシャッタ２６を支障なく閉じることが可能となり、緊急イジェクト操作を行った場合でも対物レンズ５０及びレンズホルダ５１を破損させることはない。
【００４０】
上述した実施形態の特徴のひとつは、シャッタ２６が所期の閉じ位置からオーバーストローク移動し、さらにシャッタロックレバー４７がロック位置に移動するまではシャッタ２６がオーバーストローク位置に向けて付勢されていることにある。この作用は、シャッタ開閉レバー４０が第一レバー４１と第二レバー４２とのダブル構造になっていることと、第一レバー４１が回動した後も板バネ４４の付勢により第二レバー４２がシャッタ２６を閉じる方向に回動されることによる。このような作用は、シャッタ開閉レバー４０の代わりに図１６に示すレバーを用いても得ることができる。
【００４１】
図１６に示すレバー５６は、一端５６ａが前述した第一レバー４１の先端４１ａと同様にシャッタカム１５に係脱し、他端に設けられた長孔５６ｂがピン４５との係合部として用いられる。軸５７から長孔５６ｂ側に向かって延びたアーム部５８には可撓性が付与されているため、一端５６ａがシャッタカム１５に乗り上げて回動されるとき、その途中でシャッタ２６がオーバーストローク位置でストッパに当接すると、それ以降の一端５６ａの回動に伴ってアーム部５８が同図（Ｂ）に示すように弾性変形する。このアーム部５８の変形により一端５６ａの余剰回動分が吸収されるとともに、アーム部５８の変形に伴う付勢力は先の実施形態と同様にシャッタ２６を閉じ方向に押圧するので、シャッタ２６をオーバーストローク位置に保持することが可能となる。
【００４２】
本発明を実施する上では、シャッタ２６は必ずしも回動して開口３７を開閉するものに限られない。図１７は、カバープレート３６の上面にスライド式のシャッタ６０を用いた例を示す。なお、先の実施形態と共通に用いることが可能な部材には共通符号を付し、ディスクトレイ２０については図示を省略してある。シャッタ６０にはピン４５が設けられ、このピン４５はピックアップベース３５に直線状に形成された長孔６１に挿通される。シャッタ６０はピン４５を介して長孔６１に沿ってスライドし、カバープレート３６に形成された開口３７を開閉する。シャッタ６０の先端側が浮き上がらないように抑えるシャッタガイド６３にも長孔６１と平行なガイドスロット６３ａが形成され、このガイドスロット６３ａにはシャッタ６０の先端部に植設した一対のピン６５が係合している。シャッタ開閉レバー６６には、図１６に示すレバー５６と同様のものが用いられ、その一端６６ａをシャッタカム１５に係脱させることによって、シャッタ６０を同図（Ａ）に示す閉じ位置と同図（Ｂ）に示す開き位置との間で移動させることができる。なお、シャッタ６０を閉じ位置にロックするシャッタロックレバーについては先の実施形態と同様のものを用いることができるので図示及び説明については省略する。
【００４３】
以上、図示した実施形態にしたがって本発明について説明してきたが、本発明はさらに別の態様のもとで実施することも可能である。例えば、前述した実施形態では、ディスクトレイ２０のスライド機構を奥行き方向でコンパクト化するために、フレーム１０に固定したガイドレール１１，１２とディスクトレイ２０との間にスライドレール１３，１４を用いているが、フレームに固定したガイドレールだけでディスクトレイをスライド自在に支持することも可能である。また、パソコン本体内に組み込まれるフレームに対してディスクトレイを回動自在に支持させ、ディスクトレイを回動して格納位置と突出位置との間で移動させることも可能で、ディスクトレイの回動軌跡に沿ってシャッタカムやロックカムを設けておけば、ディスクトレイの回動操作に連動してシャッタの開閉やロックを行うことができる。
【００４４】
さらに、シャッタカム１５及びロックカム１６をいずれもガイドレール１４から内側に突出した形状にしているが、これらをガイドレール１４に凹状に形成したカム溝で構成することも可能で、この場合にはシャッタ開閉レバー４０及びシャッタロックレバー４７の回動方向が逆になるから、各々のレバー以降の連動系を変更するだけで同様の作用を得ることができる。
【図面の簡単な説明】
【００４５】
【図１】本発明の光ディスク装置を備えたノート型パソコンの外観図である。
【図２】光ディスク装置の外観斜視図である。
【図３】ガイドレール及びスライドレールを設けたフレームの外観斜視図である。
【図４】スライドレールで支持されるトレイユニットの概略分解斜視図である。
【図５】トレイユニットがフレームに格納された状態を示す概略平面図である。
【図６】トレイユニットが格納位置から突出長ｄ１だけ移動した状態を示す概略平面図である。
【図７】トレイユニットが格納位置から突出長ｄ２だけ移動した状態を示す概略平面図である。
【図８】シャッタ開閉レバーの作用説明図である。
【図９】トレイユニットが格納位置から突出長ｄ３だけ移動した状態を示す概略平面図である。
【図１０】シャッタロックレバーが移動する様子を示す説明図である。
【図１１】トレイユニットが格納位置から突出長ｄ４だけ移動した状態を示す概略平面図である。
【図１２】シャッタロックレバーの移動が停止した状態の作用説明図である。
【図１３】トレイユニットが最大突出長まで移動した状態を示す概略平面図である。
【図１４】シャッタロックレバーがシャッタに係合した状態の説明図である。
【図１５】光ピックアップがシャッタで覆われるときの様子を示す説明図である。
【図１６】シャッタ開閉レバーの別の例を示す説明図である。
【図１７】スライド式のシャッタを用いた別の例を示す説明図である。
【符号の説明】
【００４６】
５  トレイユニット
１０  フレーム
１５  シャッタカム
１６  ロックカム
２０  ディスクトレイ
２２  ピックアップユニット
２６  シャッタ
３２  光ピックアップ
３３  ダンパー
３５  ピックアップベース
３６  カバープレート
４０  シャッタ開閉レバー
４７  シャッタロックレバー
４９  シャッタガイド
【図１】
2006252683.tif 000003
【図２】
2006252683.tif 000004
【図３】
2006252683.tif 000005
【図４】
2006252683.tif 000006
【図５】
2006252683.tif 000007
【図６】
2006252683.tif 000008
【図７】
2006252683.tif 000009
【図８】
2006252683.tif 000010
【図９】
2006252683.tif 000011
【図１０】
2006252683.tif 000012
【図１１】
2006252683.tif 000013
【図１２】
2006252683.tif 000014
【図１３】
2006252683.tif 000015
【図１４】
2006252683.tif 000016
【図１５】
2006252683.tif 000017
【図１６】
2006252683.tif 000018
【図１７】
2006252683.tif 000019